(57)【特許請求の範囲】
【請求項１】
マガジンから送り出された長尺状の感光材料に画像を露光する露光部と、前記感光材料を搬送する駆動力を発生するモータとを有する写真プリンタであって、
前記モータの駆動力により前記露光部に感光材料をマガジンから送り出す第１の搬送ローラと、
前記第１の搬送ローラと前記露光部との間に配置され該第１の搬送ローラから前記露光部の方向に搬送される感光材料に対して自由回転する第２の搬送ローラと、
前記モータと前記第２の搬送ローラとの間に配置されて前記モータからの駆動力を前記第２の搬送ローラに伝達し感光材料を第１の搬送ローラの方向に戻すように搬送させる歯車列と、
前記歯車列内に配置されて駆動力の伝達の停止をし得るクラッチと、
を有する写真プリンタ。
【請求項２】
前記モータにより、感光材料を巻き取り、マガジン内に収容するリールを回転させることを特徴とする請求項１に記載の写真プリンタ。
【発明の詳細な説明】
【０００１】
【発明の属する技術分野】
本発明は、印画紙をオートロード及びオートリワインドするためのモータを利用して印画紙の逆搬送を可能にした写真プリンタに関する。
【０００２】
【従来の技術】
スキャナで読み取られたネガフィルムの各コマの画像データを画像メモリに一旦記憶し、この画像データを画像メモリから読み出して液晶パネルに表示することで表示された数コマ分の画像を感光材料である印画紙に露光する技術が、知られている。
【０００３】
そして、この画像メモリ及び液晶パネルを利用して、各コマをマトリックス状に並べて縮小プリントして１本の現像済ネガフィルムにどのような写真が撮影されているかを簡単に検索できるようにしたインデックスプリントを作成可能とした写真プリンタが有る。
【０００４】
この写真プリンタにおいて、ネガフィルムに記録された画像を直接に印画紙に露光する為の従来より存在する主露光部及び、画像メモリに記憶された画像を印画紙に露光する副露光部は、印画紙の搬送経路に沿って並んで配置されており、ネガフィルムの全てのコマの後にインデックスプリントが印画紙上に配置されるようになっている。
【０００５】
また、この主露光部では種々の大きさのプリントを作成する関係から最終コマで通常のサイズのプリントを露光すると、最終コマとインデックスプリントとの間に隙間が生じて印画紙に無駄が生じることになる。
【０００６】
【発明が解決しようとする課題】
従って、このインデックスプリントを作成する際、最終コマを露光する前にインデックスプリントを１枚作成する為の例えば６回の露光のうちの２〜３回の露光を先行して行い、最終コマをプリントした後に、インデックスプリントの残りの部分を露光して、印画紙の無駄を無くすようにしている。
【０００７】
但し、最終コマを先に露光してからインデックスプリントの露光を開始する方が、インデックスプリントの露光中にネガフィルムのかけ換え処理ができるので、処理能力が向上し、連続処理の際の写真プリンタの能力アップに繋がる。
【０００８】
つまり、処理能力を向上すると共に印画紙の無駄を無くす為に、最終コマを先に露光してから印画紙を逆搬送し、この後にインデックスプリントの露光を開始することが、非常に有効であると考えられる。
【０００９】
しかし、逆搬送を可能にする為に写真プリンタ内にモータを追加して設置することは、モータを設置するスペースが写真プリンタ内に無いこと及びモータの制御用の基板を追加しなければならないこと等の理由で、困難であった。
【００１０】
本発明は上記事実を考慮し、感光材料をオートロード及びオートリワインドするためのモータを利用して感光材料の逆搬送を可能にした写真プリンタを提供することを目的とする。
【００１１】
【課題を解決するための手段】
請求項１記載の写真プリンタは、マガジンから送り出された長尺状の感光材料に画像を露光する露光部と、前記感光材料を搬送する駆動力を発生するモータとを有する写真プリンタであって、
前記モータの駆動力により前記露光部に感光材料をマガジンから送り出す第１の搬送ローラと、
前記第１の搬送ローラと前記露光部との間に配置され該第１の搬送ローラから前記露光部の方向に搬送される感光材料に対して自由回転する第２の搬送ローラと、
前記モータと前記第２の搬送ローラとの間に配置されて前記モータからの駆動力を前記第２の搬送ローラに伝達し感光材料を第１の搬送ローラの方向に戻すように搬送させる歯車列と、
前記歯車列内に配置されて駆動力の伝達の停止をし得るクラッチと、
を有する。
【００１２】
請求項２記載記載の写真プリンタは、請求項１記載において、前記モータにより、感光材料を巻き取り、マガジン内に収容するリールを回転させることを特徴とする。
【００１４】
請求項１記載の写真プリンタの作用を以下に説明する。
本請求項の写真プリンタは、マガジンから送り出された長尺状の感光材料に画像を露光する露光部と感光材料を搬送する駆動力を発生するモータとを有する。
【００１５】
また、モータの駆動力により第１の搬送ローラが、露光部に感光材料をマガジンから送り出し、この際に第２の搬送ローラが自由回転して感光材料を案内する。さらに、歯車列を介してモータがその駆動力を第２の搬送ローラへ伝達することで必要時に第２の搬送ローラが感光材料を第１の搬送ローラの方向に戻すように搬送する。また、歯車列でモータからの駆動力を第２の搬送ローラに伝達するので、ベルトで駆動力を伝達する場合等と比較して、確実に駆動力の伝達が可能となった。さらに、モータで駆動力を発生させたので、第２の搬送ローラを駆動する為の制御が容易となった。また、歯車列内にクラッチが配置されて、任意に駆動力の伝達の停止をし得るようになっているので、第１の搬送ローラが感光材料をマガジン側から露光部側に送り出す際にこの歯車列が負荷とならないように、このクラッチで回転の伝達を遮断することができる。
【００１６】
従って、感光材料を第１の搬送ローラによりオートロード及びオートリワインドするためのモータを利用して第２の搬送ローラを駆動し、この第２の搬送ローラの駆動回転により感光材料の逆搬送を可能にしたので、逆搬送する為にモータを追加して設ける必要が無くなった。
【００１７】
この為、モータを新たに設置する為のスペースの必要がなくなると共に、モータの制御用の基板を追加する必要がなくなって、写真プリンタの小型化及び低コスト化が図れるようになった。
【００１８】
請求項２記載の写真プリンタの作用を以下に説明する。
請求項１に記載の作用において、本請求項では、第１の搬送ローラ及び第２の搬送ローラを回転させるモータと同一のモータを利用して、感光材料を巻き取り、マガジン内に収容するリールを回転させているので、リールを回転させるモータを追加して設ける必要が無くなった。これによって、モータを新たに設置する為のスペースの必要がなくなると共に、さらに、写真プリンタの小型化及び低コスト化が図れるようになった。
【００２１】
【発明の実施の形態】
以下、図面を参照して、本発明に係る一実施の形態を説明する。
【００２２】
図１から図３を用いて本実施形態における写真プリンタであるプリンタプロセッサ１０の構成を説明する。外部をケーシング１２により覆われたプリンタプロセッサ１０は、本プリント及び副プリントであるインデックスプリントの印画紙への露光を行うプリンタ部５８と、露光された印画紙に対し現像・定着・水洗・乾燥の各処理を行うプロセッサ部７２と、を備えている。
【００２３】
まず、プリンタ部５８の構成を説明する。プリンタプロセッサ１０には、図１において左方にケーシング１２から突出する作業テーブル１４が設置されており、作業テーブル１４の上面には、ネガフィルム１６をセットするネガキャリア１８、及びオペレータがコマンドやデータ等を入力するためのキーボード１５が配置されている。
【００２４】
作業テーブル１４の下方には主露光用光源部３６が設置されている。主露光用光源部３６には光源３８が設置されており、光源３８から射出された光は、色補正フィルタ（以下、Color-Correction Filter ：ＣＣフィルタと称す）４０、拡散筒４２を介して、ネガキャリア１８にセットされたネガフィルム１６へと至る。ＣＣフィルタ４０はＣ（シアン）、Ｍ（マゼンダ）、Ｙ（イエロー）の３組のフィルタから構成され、各フィルタはＣＣフィルタ制御部３９による制御の下に作動し、光源３８から射出された光の光軸上を挿入量可変とされている。
【００２５】
ネガキャリア１８の下流側（図１において上側）には、カバー４４が配置されており、カバー４４内には、主露光用光学系４６及び、インデックスプリント等の副プリントの露光を行う副露光用光学部２２が設けられている。
【００２６】
主露光用光学系４６の最下部には、ハーフミラー４３が配置されており、ネガキャリア１８にセットされたネガフィルム１６を透過した光が到達する。ハーフミラー４３を透過する光路の下流側には、露光する画像の倍率を変更するための露光レンズ４８と、露光光を遮断するためのブラックシャッタ５０とが、順に配置されている。ブラックシャッタ５０の下流側には、露光光を略直角方向に反射するミラー５１が配置されており、ミラー５１により反射された露光光は露光室５２にセットされた感光材料である印画紙５４に照射され、これにより印画紙５４の露光が行われる。
【００２７】
一方、ハーフミラー４３で反射する光路の下流側には、測光用の画像の倍率を変更するための測光用レンズ４５が配置されており、測光用レンズ４５の下流側には、ハーフミラー４７が配置されている。ハーフミラー４７により光が反射される方向には、イメージセンサ等で構成されたスキャナ１０８が配置されており、スキャナ１０８には、スキャナ１０８で読み取ったネガフィルム１６の各コマの画像データに対して、所定の画像処理を行う画像信号処理部１０２が、接続されている。
【００２８】
画像信号処理部１０２には画像表示装置としてのシミュレータ１０４が接続されており、シミュレータ１０４には、ネガフィルム１６の各コマの画像について、設定された条件に基づいて作成された場合のプリントのシミュレーション画像が表示される。
【００２９】
また、画像信号処理部１０２には、画像データを記憶するための画像メモリ１０６が接続されており、画像信号処理部１０２はスキャナ１０８で読み取ったネガフィルム１６の各コマの画像データを３つの色成分毎にそれぞれ画像メモリ１０６に記憶する。
【００３０】
ハーフミラー４７を透過する光路の下流側には、ネガフィルム１６の各コマの画像濃度を測定するためのネガ濃度測定部５６が設けられており、ネガ濃度測定部５６にはイメージセンサ等で構成されたスキャナ５６Ｂと、スキャナ５６Ｂで読み取ったネガフィルム１６の各コマの画像濃度を測定するネガ濃度測定器５６Ａと、が設置されている。
【００３１】
一方、副露光用光学部２２内には、インデックスプリントの露光用光源としての図示しない発光ダイオード及び液晶パネル３１が配置されている。液晶パネル３１の画像表示面３７（図４参照）には、それぞれ電気的な手段によって白色、黒色及びそれらの中間色を２５６段階の階調で表示可能な多数の画素（図示せず）が規則的に配列されている。
【００３２】
さらに、この液晶パネル３１に隣り合った位置には、インデックスプリントの画像の倍率を変更する為の露光レンズ３５が配置されており、また、液晶パネル３１には、副露光用光学部２２における各種処理状況を監視・制御する図示しない制御部が接続されている。
【００３３】
以上より、副露光用光学部２２は、画像メモリ１０６に記憶されたネガフィルム１６の各コマの画像データを読み出し、所定の規則に従ってコマ画像を配置した一件のインデックス画像データを形成し、形成した一件のインデックス画像データのうちの所定の数コマ分、一例として５コマ分（１列分）の画像データに対応する画像を液晶パネル３１に表示させることができる。
【００３４】
さらに、図３に示すように、露光室５２内の主露光用光学系４６に対向する位置には、ネガフィルム１６に記録された画像を印画紙５４に露光する主露光部２６が有り、露光室５２内の副露光用光学部２２に対向する位置には、画像メモリ１０６に記憶された画像をこの印画紙５４に露光する副露光部２８が有る。つまり、露光室５２内には、上から順に副露光部２８及び主露光部２６が並んで配置されているが、主露光部２６は種々の大きさのプリントを作成する関係から、主露光部２６における通常のサイズのプリントの端部と副露光部２８の端部との間には、隙間Ｓが存在する。
【００３５】
また、プリンタプロセッサ１０全体の制御・監視を行う主制御部２０が、露光室５２の下方に設置されている。この主制御部２０は図示しないＣＰＵ、ＲＡＭ、ＲＯＭ、入出力コントローラ等により構成されている。主制御部２０には、上述したＣＣフィルタ制御部３９、ネガ濃度測定器５６Ａ、画像信号処理部１０２及び制御部が接続されており、これらの各構成機器の動作を監視・制御している。
【００３６】
他方、図１及び図３に示すように、ケーシング１２の上面の角部には、装着部６０が設けられており、この装着部６０には、印画紙５４をリール６２に層状に巻き取って収容するペーパマガジン６４が装着されるようになっている。
【００３７】
また、図５及び図６に示すように、装着部６０の近傍には、無端ベルト１１４の一端側が巻き掛けられた駆動源であるモータ１１２が設置されており、この無端ベルト１１４の他端側に、図示しないソレノイドにより駆動力の伝達経路が切り換えられるクラッチ１１６が配置されている。
【００３８】
つまり、このクラッチ１１６には第１ギヤ１１８及び第２ギヤ１２０が相互に同軸上に取付けられており、ソレノイドの作動によってこれら第１ギヤ１１８及び第２ギヤ１２０の何れかが選択的にモータ１１２の駆動力で回転され得るようになっている。
【００３９】
一方、上ローラ３２Ｂ及び下ローラ３２Ａから成る第１の搬送ローラ３２の内の下側の下ローラ３２Ａと一体的に回転するように、被動ギヤ１２４が下ローラ３２Ａと同軸に設置されており、中間ギヤ１２２を介してこの被動ギヤ１２４に、第１ギヤ１１８からモータ１１２の駆動力が伝達されるようになっている。
【００４０】
この為、クラッチ１１６が切り換えられて第１ギヤ１１８が回転されると、第１の搬送ローラ３２がモータ１１２に駆動回転されて、モータ１１２の駆動力により露光部２６、２８側に印画紙５４をペーパマガジン６４側から挟持しつつ送り出すようになる。
【００４１】
さらに、このクラッチ１１６の第２ギヤ１２０には、マガジン用ギヤ１２６及び歯車列１３２の始端側の歯車となる始端ギヤ１３２Ａがそれぞれ噛み合わされており、このマガジン用ギヤ１２６は、ペーパマガジン６４内の印画紙５４を巻き付けたリール６２に駆動力を伝達するようになっている。また、歯車列１３２は始端ギヤ１３２Ａを含む複数のギヤが相互に噛み合って構成されている。
【００４２】
そして、この歯車列１３２の途中には、ギヤを兼ねた電磁クラッチ１３４が配置されている。この電磁クラッチ１３４は、内蔵されたソレノイドによって、駆動力を伝達する位置と軸方向（紙面に対して垂直方向）に移動して駆動力を伝達しない位置との間で、移動可能となっている。
【００４３】
また、上ローラ３４Ｂ及び下ローラ３４Ａから成って印画紙５４を挟持しつつ案内する第２の搬送ローラ３４の内の下側の下ローラ３４Ａと一体的に回転するように、この歯車列１３２の終端側の歯車となる終端ギヤ１３２Ｂが下ローラ３４Ａと同軸に設置されており、この終端ギヤ１３２Ｂが回転されるのに伴って、第２の搬送ローラ３４が駆動回転し得るようになっている。
【００４４】
この下ローラ３４Ａ内には、一方向のみに駆動力を伝達し得るワンウェイクラッチ１３６が配置されている。この為、時計回転方向に下ローラ３４Ａの支持軸に駆動力が伝達されると下ローラ３４Ａの外周面も一体的に回転するが、反時計回転方向には駆動力が伝達されずに自由に回転することになる。
【００４５】
つまり、印画紙５４をペーパマガジン６４内から送り出すオートロード時においては、電磁クラッチ１３４により歯車列１３２が遮断され、第２の搬送ローラ３４は自由に回転して印画紙５４を案内する。また、印画紙５４を巻き戻す逆搬送時等の必要時においては、クラッチ１１６及び電磁クラッチ１３４のソレノイドが同時に切り換えられて、第２ギヤ１２０及び歯車列１３２を介してモータ１１２の駆動力が第２の搬送ローラ３４に伝達される結果として、第２の搬送ローラ３４がこのモータ１１２により回転されて印画紙５４を第１の搬送ローラ３２側に戻すように搬送する。
【００４６】
以上より、図３に示すように、装着部６０の近傍には第１の搬送ローラ３２が配置されており、印画紙５４を挟持して水平状態で露光室５２へ搬送する。さらに、印画紙５４は第１の搬送ローラ３２と露光部２６、２８との間に配置される第２の搬送ローラ３４に巻掛られ、９０度方向転換されて垂下される。
【００４７】
なお、第１の搬送ローラ３２と第２の搬送ローラ３４との間には印画紙５４を略Ｕ字状に案内してストックしておく第１のストック部６９が設けられている。
【００４８】
露光室５２内の露光部２６、２８の下方にはローラ６８Ａ、６８Ｂ、６８Ｃが配置され、露光室５２においてネガフィルム１６の画像が焼付けられた印画紙５４が、ローラ６８Ａ、６８Ｂ、６８Ｃの各々により略９０度ずつ方向転換され、後述するプロセッサ部７２へ搬送される。
【００４９】
さらに、このローラ６８Ａと印画紙５４を挟んだ位置には、摩擦ベルト７０が回転可能に設置されており、印画紙５４をこれらローラ６８Ａ及び摩擦ベルト７０で挟持して確実にローラ６８Ａの駆動力が伝達されるようになっている。
【００５０】
なお、ローラ６８Ａの下流側には、カッタ７１が配置されており、このカッタ７１は、露光処理が終了した印画紙５４の後端を切断する。カッタ７１で切断され露光室５２内に残った印画紙５４は再度ペーパマガジン６４へ巻き戻すことができる。
【００５１】
つまり、この印画紙５４をペーパマガジン６４へ巻き戻す際には、モータ１１２が駆動すると共にクラッチ１１６が切り換えられて、第２ギヤ１２０及びマガジン用ギヤ１２６を介してペーパマガジン６４内のリール６２に駆動力を伝達し、印画紙５４を巻き取るようにリール６２が回転する。
【００５２】
この時、第１の搬送ローラ３２はクラッチ１１６が切り換えられている為、また、第２の搬送ローラ３４はワンウェイクラッチ１３６が配置されている為、それぞれ印画紙５４の巻き取りに支障を来すことはない。
【００５３】
また、ローラ６８Ａとローラ６８Ｂとの間には焼付処理された印画紙５４を略Ｕ字状に案内してストックしておく第２のストック部７３が設けられている。第２のストック部７３では、印画紙５４をストックすることにより、プリンタ部５８とプロセッサ部７２との処理時間の差を吸収する。
【００５４】
次に、プロセッサ部７２の構成を説明する。
図１に示すように、プロセッサ部７２には、発色現像処理液が貯留された発色現像処理槽７４、漂白定着処理液が貯留された漂白定着処理槽７６、及び水洗処理液が貯留された複数のリンス処理槽７８が設けられており、印画紙５４が発色現像処理槽７４、漂白定着処理槽７６、及び複数のリンス処理槽７８を順に搬送されることにより、現像・定着・水洗処理が順次行われる。水洗処理された印画紙５４はリンス処理槽７８に隣接する乾燥部８０へ搬送され、乾燥部８０では、印画紙５４をローラに巻付け高温の空気にさらして乾燥させる。
【００５５】
印画紙５４は、図示しない一対のローラに挟持され、乾燥処理終了後に乾燥部８０から一定速度で排出される。乾燥部８０の下流側にはカッタ部８４が設けられており、カッタ部８４には、印画紙５４に付与されたカットマークを検知するカットマークセンサ８６と、印画紙５４の濃度を測定するためのペーパー濃度測定部９０と、印画紙５４を切断するカッタ８８と、が設置されている。これらカットマークセンサ８６、ペーパー濃度測定部９０、カッタ８８はそれぞれ主制御部２０に接続されている。カッタ部８４では、印画紙５４がカッタ８８によって画像コマ毎にカットされ、写真プリントが完成する。
【００５６】
完成した写真プリントは、ソータ部９２へ排出され、ソータ部９２において仕分けられると共に所定の検定作業が行われる。この検定作業によって、所謂ピンボケ等の不良プリントが抜き取られた後、正常な写真プリントはネガフィルムと共に顧客へと返却される。
【００５７】
次に、本実施形態の作用を説明する。
本実施の形態のプリンタプロセッサ１０は、ネガフィルム１６に記録された画像をペーパマガジン６４から送り出された長尺状の印画紙５４に露光する主露光部２６及び画像メモリ１０６に記憶された画像をこの印画紙５４に露光する副露光部２８を有する。
【００５８】
この為、プリンタプロセッサ１０の主露光部２６における露光処理をまず説明する。
【００５９】
ブラックシャッタ５０を閉じた状態で、プリントすべき画像を記録したネガフィルム１６をネガキャリア１８にセットし光源３８を点灯し、ネガフィルム１６を透過した光により結像されるネガフィルム１６の画像の濃度をネガ濃度測定部５６により測定する。測定されたネガフィルム１６の画像の濃度に基づいて、主制御部２０により適正な露光条件（例えば、フィルタ部４０の各フィルタの挿入量等）が設定される。次に、ブラックシャッタ５０が開かれ、ネガフィルム１６の画像が、前記設定された露光条件に基づいて印画紙５４に露光される。
【００６０】
一方、このネガフィルム１６の露光処理に先立ちプリンタプロセッサ１０内に印画紙５４が送り込まれていない場合や、印画紙５４の補充が必要となった場合には、印画紙５４のオートロードが行われる。
【００６１】
つまり、図７に示すように、モータ１１２からの駆動力により第１の搬送ローラ３２が印画紙５４をペーパマガジン６４側から露光部２６、２８側に送り出し、この際に第１の搬送ローラ３２と露光部２６、２８との間に配置される第２の搬送ローラ３４が、印画紙５４を案内する。
【００６２】
また、以上のネガフィルム１６の露光に際して、ネガフィルム１６を透過した光により結像されるネガフィルム１６の画像をスキャナ１０８で順次読み取っておくことにする。そして、読み取った画像データを画像信号処理部１０２によって画像メモリ１０６に記憶する。
【００６３】
さらに、１本分のネガフィルム１６の露光が終了して、副露光部２８における露光処理として印画紙５４にインデックスプリントを露光する場合、副露光用光学部２２が画像メモリ１０６から数コマ分の画像データをそれぞれ読み出し、印画紙５４に露光する。
【００６４】
そして、これを繰り返すことにより、プリントすべきインデックスプリントの画像が図１０に示すように、印画紙５４に順次露光され、最終的に一本分のネガフィルム１６の全ての画像のコマが印画紙５４上に露光されることになる。
【００６５】
尚、この１本のネガフィルム１６の各コマの露光が終了してインデックスプリントの露光をする際には、図９に示すように印画紙５４上に隙間Ｓを生じさせない為に、図８に示すように第２の搬送ローラ３４がモータ１１２により回転されて、印画紙５４を第１の搬送ローラ３２側に若干戻すように逆搬送する。
【００６６】
従って、この逆搬送時には、印画紙５４を第１の搬送ローラ３２によりオートロード及びオートリワインドするためのモータ１１２を利用して第２の搬送ローラ３４を駆動し、この第２の搬送ローラ３４の駆動回転により印画紙５４を逆搬送するようにしたので、逆搬送する為にモータ１１２を新たに追加して設ける必要が無くなった。
【００６７】
この為、モータ１１２を新たに設置する為のスペースの必要がなくなると共に、モータ１１２の制御用の基板を追加する必要がなくなって、プリンタプロセッサ１０の小型化及び低コスト化が図れるようになった。そしてこれに伴って、第２の搬送ローラ３４の駆動源をモータ１１２としたので、第２の搬送ローラ３４を駆動する為の制御が容易となった。
【００６８】
また、本実施の形態では、モータ１１２からの駆動力を第２の搬送ローラ３４に伝達する歯車列１３２がモータ１１２と第２の搬送ローラ３４との間に配置されているので、モータ１１２の位置を変更しなくとも、容易に第２の搬送ローラ３４に駆動力を伝達でき、また、ベルトで駆動力を伝達する場合等と比較して、確実に駆動力の伝達が可能となった。
【００６９】
さらに、本実施の形態では歯車列１３２内に電磁クラッチ１３４が配置されて、任意に駆動力の伝達の停止をし得るようになっているので、第１の搬送ローラ３２が印画紙５４をペーパマガジン６４側から露光部２６、２８側に送り出すオートロード等の際に歯車列１３２が負荷とならないように、この電磁クラッチ１３４で回転の伝達を遮断することが可能となった。
【００７０】
尚、この電磁クラッチ１３４をクラッチ１１６のソレノイドと連動するようにすれば、電磁クラッチ１３４用の基板の追加やソフトウエアの変更も全く必要としないで良くなる。
【００７１】
次に、プロセッサ部７２における処理を説明する。
上記のようにして、プリントすべき画像が印画紙５４に露光された後、印画紙５４はプロセッサ部７２の発色現像処理槽７４、漂白定着処理槽７６、及び複数のリンス処理槽７８を順に搬送されることにより、印画紙５４に対して現像・定着・水洗処理が順次行われる。水洗処理された印画紙５４は乾燥部８０へ搬送され、高温の空気により乾燥処理される。乾燥処理された印画紙５４は、カッタ部８４へ搬送され、カッタ８８によって画像コマ毎にカットされ、写真プリントとなる。そして、写真プリントは、ソータ部９０へ排出され、ソータ部９０において仕分けられる。
【００７２】
尚、上記実施形態では、副露光用光学部２２のインデックスプリントの露光用光源として発光ダイオードを採用したが、主露光用光学系４６の光源である光源３８を光源として利用しても良い。
【００７３】
一方、上記実施形態では、副露光用光学部を備えたプリンタプロセッサに本発明を適用した例を示したが、別個の写真プリントシステムや、画像メモリと該画像メモリに記憶された画像データを表示する液晶パネルと該液晶パネルに表示された画像を露光可能な露光系とを有する液晶写真プリンタ、にも適用することもできる。
【００７４】
【発明の効果】
以上説明した如く本発明に係る写真プリンタは、感光材料をオートロード及びオートリワインドするためのモータを利用して感光材料の逆搬送を可能にしたという優れた効果を有している。
【図面の簡単な説明】
【図１】実施の形態のプリンタプロセッサの概略構成図である。
【図２】実施の形態のプリンタプロセッサにおけるプリンタ部の構成を示すブロック図である。
【図３】実施の形態のプリンタプロセッサにおけるプリンタ部の要部拡大図である。
【図４】実施の形態のプリンタプロセッサの液晶パネル及び露光レンズの配置を表した斜視図である。
【図５】実施の形態のプリンタプロセッサにおけるプリンタ部の要部拡大図であって、搬送ローラの駆動系を示す図である。
【図６】実施の形態の搬送ローラの駆動系を示す要部拡大図である。
【図７】実施の形態の搬送ローラの駆動系を示す要部拡大図であって、第１の搬送ローラを駆動する状態を示す図である。
【図８】実施の形態の搬送ローラの駆動系を示す要部拡大図であって、第２の搬送ローラを駆動する状態を示す図である。
【図９】実施の形態のプリンタプロセッサにより通常のプリントのみ露光された印画紙を示す図である。
【図１０】実施の形態のプリンタプロセッサにより通常のプリント及びインデックスプリントが露光された印画紙を示す図である。
【符号の説明】
１０    プリンタプロセッサ（写真プリンタ）
２６    主露光部
２８    副露光部
３２    第１の搬送ローラ
３４    第２の搬送ローラ
５４    印画紙（感光材料）
１１２    モータ
１３２    歯車列
１３４    電磁クラッチ
【図１】
0003739905.tif 000002
【図２】
0003739905.tif 000003
【図３】
0003739905.tif 000004
【図４】
0003739905.tif 000005
【図５】
0003739905.tif 000006
【図６】
0003739905.tif 000007
【図７】
0003739905.tif 000008
【図８】
0003739905.tif 000009
【図９】
0003739905.tif 000010
【図１０】
0003739905.tif 000011